(57)【要約】【課題】冊子に、様々な形状の物品を容易かつ安定して付属させることが可能なコンテナ付き冊子およびその製造方法を提供する。【解決手段】冊子部１は、２面の表紙のうち一方の表紙が冊子の幅方向に伸長されて形成されている。冊子部１の表紙の伸長部分には、切断時に一方の表紙が他方の表紙と略同じ大きさに切断可能なミシン目が設けられている。コンテナ２は、一定の剛性を有する紙を素材とし、側面を所定の厚みとし、表面および裏面が冊子部１の伸長されていない方の表紙と略同じ大きさに形成されている。コンテナ２の表面および裏面のいずれかに収納物品を収納するための窓２１が設けられている。コンテナ２は、冊子部１の表紙の伸長部分に接着されている。【選択図】　　　　図１
2004034566.tif 000002
【特許請求の範囲】
【請求項１】
冊子と、物品が収納されるコンテナとにより構成されるコンテナ付き冊子であって、
前記冊子は、２面の表紙のうち一方の表紙が冊子の幅方向に伸長されて形成され、切断時に前記一方の表紙が他方の表紙と略同じ大きさに切断可能なミシン目が前記一方の表紙の伸長部分に設けられ、
前記コンテナは、一定の剛性を有する紙を素材とし、側面を所定の厚みとし、表面および裏面が前記冊子の他方の表紙と略同じ大きさに形成され、前記表面および裏面のいずれかに前記物品を収納するための窓が設けられ、前記冊子の一方の表紙の伸長部分に接着され、
前記冊子の伸長された一方の表紙は、前記冊子および前記コンテナを覆うように形成されていることを特徴とするコンテナ付き冊子。
【請求項２】
前記窓の開口部には、可撓性を有し、前記物品を収納保持する突起が形成されていることを特徴とする請求項１記載のコンテナ付き冊子。
【請求項３】
前記コンテナに、互いに略平行な２本のミシン目と、該ミシン目の垂線上に設けられた切り込みと、該切り込み上の所定位置に設けられた穴部とが形成され、
前記ミシン目は、前記コンテナの窓に対応する部分の周囲に開口用に設けられていることを特徴とする請求項１または２記載のコンテナ付き冊子。
【請求項４】
前記コンテナにおける前記窓が設けられている面に、ミシン目が設けられたシート状のコンテナ蓋部材が貼付され、
前記コンテナ蓋部材のミシン目は、前記コンテナの窓に対応する部分の周囲に開口用に設けられていることを特徴とする請求項１から３のいずれか１項に記載のコンテナ付き冊子。
【請求項５】
冊子と、物品が収納されるコンテナとにより構成されるコンテナ付き冊子の製造方法であって、
２面の表紙のうち一方の表紙が冊子の幅方向に伸長されて形成され、切断時に前記一方の表紙が他方の表紙と略同じ大きさに切断可能なミシン目が前記一方の表紙の伸長部分に設けられるように前記冊子を製本する工程と、
一定の剛性を有する紙を素材とし、側面を所定の厚みとし、表面および裏面が前記冊子と略同じ大きさに形成され、前記表面および裏面のいずれかに前記物品を収納するための窓が設けられるように前記素材とした紙を加工して前記コンテナを製函する工程と、
前記冊子の一方の表紙の伸長部分に前記コンテナを接着する工程と、
前記製函されたコンテナに前記物品を収納する工程と、
を有することを特徴とするコンテナ付き冊子の製造方法。
【発明の詳細な説明】
【０００１】
【発明の属する技術分野】
本発明は、コンテナ付き冊子およびその製造方法に関し、特に、冊子の表紙部分にコンテナが接着されたコンテナ付き冊子およびその製造方法に関する。
【０００２】
【従来の技術】
近年、消費者のニーズの多様化により、雑誌や書籍などの出版の分野において、消費者による様々な種類の出版物の需要が高まっている。その中の１つに、音楽ＣＤなど書籍以外の収納物品とセットで提供される出版物があった。また、広告ツールとして、カタログやパンフレット等に試供品やプレミアムをベタ付けして消費者に配布されている。
【０００３】
【発明が解決しようとする課題】
しかしながら、冊子形状の雑誌などに付属可能な収納物品の形状は限定されており、雑誌とセットで提供されることにより効果を発揮する収納物品を、雑誌に付属させることが困難である場合があった。また、雑誌などと収納物品とを所定の箱に格納して販売すると、消費者は雑誌などの内容を確認することが困難であり、購買の機会を逃すことがあった。さらに、試供品などをベタ付けしたカタログなどでは、流通段階で試供品が脱離または破損したりして広告イメージを悪くしてしまうこともあった。
【０００４】
本発明は、上記問題点に鑑みてなされたものであり、冊子に、様々な形状の物品を容易かつ安定して付属させることが可能なコンテナ付き冊子およびその製造方法を提供することを目的とする。
【０００５】
【課題を解決するための手段】
かかる目的を達成するため、請求項１記載の発明は、冊子と、物品が収納されるコンテナとにより構成されるコンテナ付き冊子であって、冊子は、２面の表紙のうち一方の表紙が冊子の幅方向に伸長されて形成され、切断時に一方の表紙が他方の表紙と略同じ大きさに切断可能なミシン目が一方の表紙の伸長部分に設けられ、コンテナは、一定の剛性を有する紙を素材とし、側面を所定の厚みとし、表面および裏面が冊子の他方の表紙と略同じ大きさに形成され、表面および裏面のいずれかに物品を収納するための窓が設けられ、冊子の一方の表紙の伸長部分に接着され、冊子の伸長された一方の表紙は、冊子およびコンテナを覆うように形成されていることを特徴とする。
【０００６】
また、請求項２記載の発明によれば、請求項１記載のコンテナ付き冊子において、窓の開口部には、可撓性を有し、物品を収納保持する突起が形成されていることを特徴とする。
【０００７】
また、請求項３記載の発明によれば、請求項１または２記載のコンテナ付き冊子において、コンテナに、互いに略平行な２本のミシン目と、ミシン目の垂線上に設けられた切り込みと、切り込み上の所定位置に設けられた穴部とが形成され、ミシン目は、コンテナの窓に対応する部分の周囲に開口用に設けられていることを特徴とする。
【０００８】
また、請求項４記載の発明によれば、請求項１から３のいずれか１項に記載のコンテナ付き冊子において、コンテナにおける窓が設けられている面に、ミシン目が設けられたシート状のコンテナ蓋部材が貼付され、コンテナ蓋部材のミシン目は、コンテナの窓に対応する部分の周囲に開口用に設けられていることを特徴とする。
また、請求項５記載の発明は、冊子と、物品が収納されるコンテナとにより構成されるコンテナ付き冊子の製造方法であって、２面の表紙のうち一方の表紙が冊子の幅方向に伸長されて形成され、切断時に一方の表紙が他方の表紙と略同じ大きさに切断可能なミシン目が一方の表紙の伸長部分に設けられるように冊子を製本する工程と、一定の剛性を有する紙を素材とし、側面を所定の厚みとし、表面および裏面が冊子と略同じ大きさに形成され、表面および裏面のいずれかに物品を収納するための窓が設けられるように素材とした紙を加工してコンテナを製函する工程と、冊子の一方の表紙の伸長部分にコンテナを接着する工程と、製函されたコンテナに物品を収納する工程と、を有することを特徴とする。
【０００９】
【発明の実施の形態】
（第１の実施形態）
図１は、本発明の第１の実施形態におけるコンテナ付き冊子を示す図である。図１に示されているように、コンテナ付き冊子は、流通時または販売時においては、冊子部１およびコンテナ２が一体となっている。
【００１０】
通常の冊子では、表紙は、中身（冊子の表紙以外の部分）とサイズが等しく形成されている。本実施形態では、冊子の２面の表紙のうち一方の表紙のサイズを冊子の幅方向に伸長し、その表紙の伸長部分にコンテナを接着して、コンテナ付き冊子を形成する。冊子における他方の表紙は、通常の冊子と同様に冊子の中身とほぼ同じ大きさである。図２は、本発明の第１の実施形態におけるコンテナ付き冊子を示す図であって、図１に示されるコンテナ付き冊子を開いたものである。以下、図２を用いて、本実施形態におけるコンテナ付き冊子について説明する。
【００１１】
コンテナ付き冊子は、少なくとも、一方の表紙が伸長した冊子形状の雑誌などである冊子部１と、冊子部１の内容に関連する収納物品を収納するコンテナ２と、から構成される。図２に示されているように、冊子部１の表紙の伸長部分に、コンテナ２が接着固定されている。
【００１２】
コンテナ２は、一定の剛性を有する紙（ダンボール紙など）を素材としている。コンテナ２の表面には、所定の収納物品を収納するための窪み状の窓２１が設けられている。また、図２に示されているように、窓２１には、収納物品を収納保持するための突起２２ａ、２２ｂが設けられている。なお、図２には、窓２１の左右に１個ずつ、対向するように計２個の突起が設けられているが、突起の数および位置は、図により限定されないものとする。
【００１３】
また、コンテナ２の裏面（表面に対向する面）には、コンテナ２に収納されている収納物品を視認するための小窓１７１が設けられている。小窓１７１の面積は、窓２１よりも小さいものとする。
【００１４】
ミシン目２０４を切断すると、通常の冊子形状の冊子がコンテナ付き冊子本体（コンテナ２を含む部分）から切り離される。切り離された冊子は、通常の冊子と同様に閲覧することが可能である。
【００１５】
また、コンテナ２は、側面を所定の厚みとし、表面および裏面が冊子部１の中身および１つの表紙と略同じ大きさに形成されている。また、コンテナ付き冊子を数冊積み重ねて、バンドやひも等で結束する場合、結束で冊子部１の周辺が押圧されて損傷しないようにコンテナ２の表裏面を冊子部１の中身および１つの表紙より多少幅広とする。また、コンテナ２の側面には、所定の文字、デザイン等が印刷されている。例えば、冊子部１の背表紙部１４には縦書きまたは横書きの表題等（ＡＢＣ）、一方、コンテナ２の側面には横書きまたは縦書きの表題等（ＡＢＣ）を印刷しておくと、書店での配置が書棚であっても段積みであっても対応可能となる。
【００１６】
冊子部１とコンテナ２内の収納物品との組み合わせとしては、以下のようなものであってもよい。例えば、冊子部１を所定の雑誌とし、収納物品を冊子部１の内容に関連するフィギュア模型（人形）または関連する図柄が示されたカード類などの景品としてもよい。また、冊子部１を商品のカタログやパンフレット、その他の情報誌とし、収納物品を冊子部１に掲載されている商品のサンプル品として、コンテナ付き冊子を商品の販売促進用に用いてもよい。また、冊子部１の内容に関連するものであれば、他のものであってもよい。本実施形態では、以下、収納物品をフィギュアとして説明を進める。
【００１７】
図３は、本発明の第１の実施形態におけるコンテナ２の展開平面図を示す。以下、図３を用いて、本実施形態におけるコンテナ２について説明する。
【００１８】
長方形の底面部１０１の長辺側の一端には折り目１１１を介して側面１１２が連設され、側面１１２には折り目１１３を介して上面１１４が連設され、上面１１４の中央部には折り目１１５、１７２を介して支持片１１６が連設され、支持片１１６には折り目１１７を介して支持片１１８が連設されている。上面１１４の両端部には折り目１１９を介して差し込み片１２０が、折り目１２１を介して差し込み片１２２が、それぞれ連設されている。また、支持片１１６には、切り込み１７４が設けられている。
【００１９】
同様に、底面部１０１の長辺側の他端には折り目１３１を介して側面１３２が連設され、側面１３２には折り目１３３を介して上面１３４が連設され、上面１３４の中央部には折り目１３５、１７３を介して支持片１３６が連設され、支持片１３６には折り目１３７を介して支持片１３８が連設されている。上面１３４の両端部には折り目１３９を介して差し込み片１４０が、折り目１４１を介して差し込み片１４２が、それぞれ連設されている。また、支持片１３６には、切り込み１７５が設けられている。
【００２０】
さらに、底面部１０１の短辺側の一端には折り目１５１を介して側面１５２が連設され、側面１５２には折り目１５３を介して上面１５４が連設され、上面１５４には折り目１５５を介して側面１５６が連設され、側面１５６には折り目１５７を介して貼着片１５８が連設されている。上面１５４には中央部に差し込み溝１５９が設けられている。
【００２１】
同様に、底面部１０１の短辺側の他端には折り目１６１を介して側面１６２が連設され、側面１６２には折り目１６３を介して上面１６４が連設され、上面１６４には折り目１６５を介して側面１６６が連設され、側面１６６には折り目１６７を介して貼着片１６８が連設されている。上面１６４には中央部に差し込み溝１６９が設けられている。
【００２２】
また、底面部１０１の中央部分には、小窓１７１が形成されている。
【００２３】
次にコンテナ２の組み立てについて説明する。
まず、折り目１５１、１５３、１５５を内側に折り曲げるとともに、折り目１５７を外側に折り曲げ、貼着片１５８を底面部１０１に糊などの接着剤で貼着する。同様に、折り目１６１、１６３、１６５を内側に折り曲げるとともに、折り目１６７を外側に折り曲げ、貼着片１６８を底面部１０１に糊などの接着剤で貼着する。これにより上面１５４および１６４が底面部１０１から所定の高さに固定される。
【００２４】
次に、折り目１１１、１１３、１１５、１１７、１１９、１２１、１７２を内側に折り曲げ支持片１１８を底面部１０１上に接触させ、差し込み片１２０を差し込み溝１５９に挿入し、差し込み片１２２を差し込み溝１６９に挿入する。同様に、折り目１３１、１３３、１３５、１３７、１３９、１４１、１７３を内側に折り曲げ支持片１３８を底面部１０１上に接触させ、差し込み片１４０を差し込み溝１５９に挿入し、差し込み片１４２を差し込み溝１６９に挿入する。
【００２５】
折り目１１５、１７２が内側に折り曲げられると、切り込み１７４部分において、突起２２ａが形成される。また、折り目１３５、１７３が内側に折り曲げられると、切り込み１７５部分においても突起２２ｂが形成される。
【００２６】
このように組み立てることにより図４に示すようなコンテナ２が出来上がる。コンテナ２の上面には景品などを入れるための窓２１が形成される。コンテナ２が組み立てられた後、窓２１から景品（収納物品）のフィギュアが入れられる。なお、コンテナ２内の収納物品を視認する必要がない場合には、特に小窓１７１を設けなくてもよい。
【００２７】
また、コンテナ２の窓２１が設けられている面と向かい合う面には、窓２１に入れられた収納物品の外見が確認できるように、小窓１７１が設けられている。小窓１７１は、透明性を有するシート状の素材により形成されてもよい。また、収納物品が透明性を有する容器３に格納されている場合には、コンテナ２をくり抜いて形成するとしてもよい。なお、収納物品または容器３が小窓１７１から取り出すことができないように、小窓１７１の面積は、窓２１の面積よりも小さいこととする。また、コンテナ２内の収納物品を視認する必要がない場合には、特に小窓１７１を設けなくてもよい。
【００２８】
また、図４に示されているように、窓２１には、可撓性を有する素材からなる突起２２ａ、２２ｂが設けられている。横幅が、窓２１の横幅よりも短く、突起２２ａ、２２ｂの頂点を結ぶ線分よりも長い収納物品を、窓２１に収納する際、突起２２ａ、２２ｂを撓ませて収納物品を窓２１に押入する。収納物品が窓２１内に完全に収納されると、撓んでいた突起２２ａ、２２ｂは復元し、収納物品を収納保持する。
【００２９】
図５は、本発明の第１の実施形態における冊子部１の表紙部分を示す図である。以下、図５を用いて、冊子部１の表紙部分について説明する。
【００３０】
冊子部１の表紙部分は、表表紙部１１に折り目２０３を介して冊子背表紙部１３が連設され、冊子背表紙部１３に折り目２０２を介して裏表紙部１２が連設されている。なお、中綴じ製本の場合には、折り目２０２、２０３は省略できる。また、冊子の表紙部分は、裏表紙部１２にミシン目２０４を介して背表紙部１４が連設され、背表紙部１４に折り目２０１を介して台紙部１５が連設されている。表表紙部１１、裏表紙部１２、背表紙部１４には、それぞれ所定の文字（ＡＢＣ）、デザイン等が印刷されている。背表紙部１４の幅は、コンテナ２と冊子部１の厚みの総和とする。
【００３１】
なお、表表紙部１１、裏表紙部１２、および台紙部１５は、冊子部１の中身、コンテナ２の窓２１が設けられている面（表面）、およびその窓２１が設けられている面に向かい合う面（裏面）とサイズがほぼ等しい。
【００３２】
台紙部１５上の接着剤塗布領域２０６には、接着剤が塗布される。なお、図５では、台紙部１５上に４箇所接着剤を塗布したが、塗布する箇所の数および位置は、図により限定されない。
【００３３】
また、台紙部１５の中央部分には、コンテナ２内の収納物品を確認するための小窓２０５が設けられている。小窓２０５は、透明性を有するシート状のものであってもよい。また、収納物品が容器３に格納されている場合、あるいはコンテナ２の小窓１７１が透明性を有するシート状のものであった場合には、台紙部１５をくり抜いて形成するとしてもよい。また、小窓２０５が透明性を有するシート状のもので形成されている場合、コンテナ２の小窓１７１は、くり抜かれて形成されるとしてもよい。なお、収納物品または容器３が小窓２０５から取り出すことができないように、小窓２０５の面積は、小窓１７１と同様に、窓２１よりも小さいものとする。コンテナ２と冊子部１との接着時には、小窓２０５と小窓１７１との位置は、ほぼ重なるものとする。
【００３４】
図６は、本発明の第１の実施形態におけるコンテナ付き冊子の製造工程を示す図である。以下、図６に沿って、本実施形態におけるコンテナ付き冊子の製造工程について説明する。
【００３５】
図６の（ａ）に示されているように、まず、冊子部１の冊子背表紙部１３に冊子部１の中身となる印刷物を綴じて製本する。
【００３６】
次に、図６の（ｂ）に示されているように、折り目２０２を内側に折り曲げ、台紙部１５上に、コンテナ２を載置する。台紙部１５上には、接着剤が塗布されており、コンテナ２において窓２１が設けられている面に対向する面を台紙部１５に接着し、固定する。また、この際、台紙部１５における小窓２０５の位置とコンテナ２における小窓１７１の位置は、ほぼ重なっているものとする。
【００３７】
次に、図６の（ｃ）に示されているように、フィギュアなどの収納物品が格納された容器３をコンテナ２の窓２１内に入れる。容器３は、ブリスターパックなどの透明性を有する容器であってもよいし、ピロー包装などであってもよい。なお、収納物品を容器３に入れずに直接窓２１に入れてもよい。
【００３８】
また、コンテナ２の窓２１が設けられている面と向かい合う面には、窓２１に入れられた収納物品の外見が確認できるように、小窓１７１が設けられている。小窓１７１は、透明性を有するシート状のものであってもよい。また、収納物品が容器３に格納されている場合には、コンテナ２をくり抜いて形成するとしてもよい。なお、収納物品または容器３が小窓１７１から取り出すことができないように、小窓１７１の面積は、窓２１の面積よりも小さいこととする。
【００３９】
図６の（ｄ）は、容器３格納後のコンテナ付き冊子を示す図である。容器３格納後、折り目２０１、ミシン目２０４をそれぞれ内側に折り曲げて、冊子部１を閉じることにより、図１に示されるようなコンテナ付き冊子が形成される。
【００４０】
コンテナ冊子組み立て後、裏表紙部１２および台紙部１５はコンテナ付き冊子の表紙となり、背表紙部１４はコンテナ付き冊子の背表紙となる。
【００４１】
図７の（ａ）、（ｂ）、（ｃ）は、本発明の第１の実施形態におけるコンテナ付き冊子の断面図であって、図６の（ｃ）に示される一点鎖線２３により示される部分のコンテナ付き冊子の断面を示す図である。以下、図７を用いて、本実施形態における容器３の窓２１への収納工程について説明する。
【００４２】
図７の（ａ）では、収納物品が格納された容器３が、コンテナ２の窓２１に収納される前の状態を示している。図７の（ａ）に示されているように、容器３の幅Ｗ１は、突起２２ａ、２２ｂ間の距離Ｗ２よりも長く、窓２１の幅Ｗ３よりも短いものとする。
【００４３】
図７の（ｂ）に示されているように、容器３をコンテナ２の突起２２ａ、２２ｂ上に載置し、載置した容器３に一定以上の圧力を加えると、可撓性を有する突起２２ａ、２２ｂは撓み、突起２２ａ、２２ｂ間の距離Ｗ２が長くなる。さらに容器３に圧力を加え続けると、突起２２ａ、２２ｂ間の距離Ｗ２が容器３の幅Ｗ１と等しくなり、図７の（ｃ）に示されるように、容器３は、窓２１内に収納される。容器３収納後、撓んでいた突起２２ａ、２２ｂは元の位置に復元する。突起復元後、容器３の幅Ｗ１は、突起２２ａ、２２ｂ間の距離Ｗ２よりも長くなるため、突起２２ａ、２２ｂは、容器３を窓２１内に収納保持することが可能となる。
【００４４】
図８は、本発明の第１の実施形態におけるコンテナ付き冊子の冊子切り離し工程を示す図である。図８の（ａ）は、冊子切り離し前のコンテナ付き冊子を示す図である。図８の（ｂ）は、ミシン目２０４切断後のコンテナ付き冊子を示す図である。図８の（ｂ）に示されているように、背表紙部１４と裏表紙部１２とを連設するミシン目２０４を切断すると、表紙と中身とのサイズがほぼ等しい通常の冊子の形状を有する冊子４が、コンテナ付き冊子から切離される。表表紙部１１および裏表紙部１２は、冊子４の表紙となり、冊子背表紙部１３は、冊子４の背表紙となる。
【００４５】
以上説明したように、本実施形態によれば、冊子部１の台紙部１５上に、冊子部１の内容に関連する収納物品を収納するための窓２１が設けられたコンテナ２が接着固定され、コンテナ付き冊子を形成している。従って、冊子部１に関連するあらゆる形状の物品を、冊子部１に容易に付属させ、消費者のニーズに応えた多様な出版物を提供することが可能となる。
【００４６】
また、本実施形態によれば、冊子部１のミシン目２０４を切断すると、表紙と中身（冊子の表紙以外の部分）とのサイズがほぼ等しい冊子４がコンテナ付き冊子から切り離される。従って、通常の冊子と同様の形状を有し、快適な閲覧が可能な冊子４を提供することが可能となる。
【００４７】
また、本実施形態によれば、小窓１７１、２０５を設ける。従って、コンテナ２に収納された物品の内容を容易に確認することが可能となる。
【００４８】
また、本実施形態によれば、例えば、折り目１１１、１１３、１１５、１１７、１１９、１２１、１７２を内側に折り曲げ支持片１１８を底面部１０１上に接触させ、差し込み片１２０を差し込み溝１５９に挿入し、差し込み片１２２を差し込み溝１６９に挿入する。同様に、折り目１３１、１３３、１３５、１３７、１３９、１４１、１７３を内側に折り曲げ支持片１３８を底面部１０１上に接触させ、差し込み片１４０を差し込み溝１５９に挿入し、差し込み片１４２を差し込み溝１６９に挿入する。従って、コンテナ付き冊子の流通時に所定数積み重ねるだけのコンテナ２の強度が保証される。
【００４９】
また、コンテナ２に設けられた突起２２ａ、２２ｂが収納物品（または容器３）を収納保持する。従って、収納物品が、コンテナ２から飛び出てしまうことを抑制することが可能となる。
【００５０】
（第２の実施形態）
本実施形態におけるコンテナ付き冊子は、第１の実施形態におけるコンテナ付き冊子と比べてコンテナ２の形状が異なっている。本実施形態では、ミシン目を切断することによりコンテナ２の窓２１部分が現出し、窓２１に収納されている収納物品が取り出し可能となる構成がコンテナ２に設けられている。以下、特記しない限り、本実施形態におけるコンテナ付き冊子の構成は、第１の実施形態におけるコンテナ付き冊子と同様であるとして説明を進める。
【００５１】
図９は、本発明の第２の実施形態におけるコンテナ２の展開平面図を示す。以下、図９を用いて、本実施形態におけるコンテナ２について説明する。
【００５２】
長方形の底面部１０１の長辺側の一端には折り目１１１を介して側面１１２が連設され、側面１１２には折り目１１３を介して上面１１４が連設され、上面１１４の中央部には折り目１１５、ミシン目１８１、１８２が設けられ、上面１１４の両端部には折り目１１９を介して差し込み片１２０が、折り目１２１を介して差し込み片１２２が、それぞれ連設されている。また、上面１１４の長辺側のうち、折り目１１９、１２１が設けられている側には、円弧状の切り込みが設けられている。
【００５３】
同様に、底面部１０１の長辺側の他端には折り目１３１を介して側面１３２が連設され、側面１３２には折り目１３３を介して上面１３４が連設され、上面１３４の中央部には折り目１３５、ミシン目１８３、１８４が設けられ、上面１３４の両端部には折り目１３９を介して差し込み片１４０が、折り目１４１を介して差し込み片１４２が、それぞれ連設されている。また、上面１３４の長辺側のうち、折り目１３９、１４１が設けられている側には、円弧状の切り込みが設けられている。
【００５４】
さらに、底面部１０１の短辺側の一端には折り目１５１を介して側面１５２が連設され、側面１５２には折り目１５３を介して上面１５４が連設され、上面１５４には折り目１５５を介して側面１５６が連設され、側面１５６には折り目１５７を介して貼着片１５８が連設されている。上面１５４には中央部に差し込み溝１５９が設けられている。
【００５５】
同様に、底面部１０１の短辺側の他端には折り目１６１を介して側面１６２が連設され、側面１６２には折り目１６３を介して上面１６４が連設され、上面１６４には折り目１６５を介して側面１６６が連設され、側面１６６には折り目１６７を介して貼着片１６８が連設されている。上面１６４には中央部に差し込み溝１６９が設けられている。
【００５６】
また、底面部１０１の中央部分には、小窓１７１が形成されている。
【００５７】
次にコンテナ２の組み立てについて説明する。
まず、折り目１５１、１５３、１５５を内側に折り曲げるとともに、折り目１５７を外側に折り曲げ、貼着片１５８を底面部１０１に糊などの接着剤で貼着する。同様に、折り目１６１、１６３、１６５を内側に折り曲げるとともに、折り目１６７を外側に折り曲げ、貼着片１６８を底面部１０１に糊などの接着剤で貼着する。これにより上面１５４および１６４が底面部１０１から所定の高さに固定される。ここで、小窓１７１が形成されている底面部１０１の中央部分に収納物品または収納物品が格納された容器３を載置する。
【００５８】
次に、折り目１１１、１１３、１１９、１２１を内側に折り曲げ、差し込み片１２０を差し込み溝１５９に挿入し、差し込み片１２２を差し込み溝１６９に挿入する。同様に、折り目１３１、１３３、１３９、１４１を内側に折り曲げ、差し込み片１４０を差し込み溝１５９に挿入し、差し込み片１４２を差し込み溝１６９に挿入する。収納物品または容器３は、コンテナ２内に収納される。
【００５９】
このように組み立てることにより図１０に示すようなコンテナ２が出来上がる。図１０に示されるように、コンテナ２の表面（冊子部１との接着面と向かい合う面）において、ミシン目１８１とミシン目１８２、ミシン目１８３とミシン目１８４は、それぞれ互いに略平行に形成され、ミシン目１８１、１８２、１８３、１８４の垂線上にはコンテナ２製函時に切り込み２４が形成される。また、図９に示されるように、ミシン目１８１、１８２、１８３、１８４、折り目１１５、１３５に囲まれた部分における切り込み２４上には、円弧状の切り込み１８５、１８６により指などが挿入可能な円（楕円）形状の穴部が形成されている。なお、ミシン目、折り目、および穴部が形成される位置は、図により限定されないものとする。また、穴部の形状についても図により限定されないものとする。
【００６０】
また、コンテナ２の切り込み１８５、１８６が設けられている面と向かい合う面には、コンテナ１内に収納された収納物品の外見が確認できるように、小窓１７１が設けられている。小窓１７１は、透明性を有するシート状のものであってもよい。また、収納物品が透明性を有する容器３に格納されている場合には、コンテナ２をくり抜いて形成するとしてもよい。なお、収納物品または容器３が小窓１７１から取り出すことができないように、小窓１７１の面積は、窓２１の面積よりも小さいこととする。また、コンテナ２内の収納物品を視認する必要がない場合には、特に小窓１７１を設けなくてもよい。
【００６１】
図１１は、本発明の第２の実施形態におけるコンテナ２の表面を示す図である。以下、図１１を用いて、本実施形態におけるコンテナ２から収納物品を取り出す際の工程について説明する。
【００６２】
図１１の（ａ）は、組み立て直後のコンテナ２の表面を示す図である。図１１の（ａ）に示されているように、コンテナ２の表面には、折り目１１５、１３５、ミシン目１８１、１８２、１８３、１８４、および切り込み２４が設けられている。また、折り目１１５、１３５、ミシン目１８１、１８２、１８３、１８４に囲まれた部分には、円弧状の切り込み１８５、１８６により穴部が形成される。
【００６３】
穴部に指などを挿入し、切り込み１８５に指をかけて所定の方向に（例えば手前に）所定以上の力を加えると、図１１の（ｂ）に示されているように、ミシン目１８１、１８２の一部が切断される。また、同様に、切り込み１８６に指をかけて、所定方向に所定以上の力を加えると（手前に引くと）、ミシン目１８３、１８４の一部が切断される。
【００６４】
ミシン目１８１、１８２、１８３、１８４切断後、さらに所定方向に力を加えると、ミシン目１８１、１８２、１８３、１８４が完全に切断され、折り目１１５、１３５が内側に折り曲げられ、図１１の（ｃ）に示されるように、コンテナ２の上面に窪み状の窓２１が現出する。窓２１内には収納物品または容器３が収納されており、ミシン目１８１、１８２、１８３、１８４が切断されることにより、コンテナ２に収納されている収納物品または容器３を容易に取り出すことが可能となる。
【００６５】
以上説明したように、本実施形態によれば、コンテナ２組み立て完成時において、収納物品または容器３は、コンテナ２内に完全に収納されるので、収納物品がコンテナ２から脱離することを抑制することが可能となる。
【００６６】
また、本実施形態によれば、円弧状の切り込み１８５、１８６に指などをかけて手前に引くことにより、コンテナ２の表面に設けられているミシン目１８１、１８２、１８３、１８４が切断され、収納物品または容器３が現出する。従って、コンテナ２内に収納されている収納物品または容器３を容易に取り出すことが可能となる。
【００６７】
（第３の実施形態）
本実施形態におけるコンテナ付き冊子は、コンテナ２の窓が設けられている表面（冊子部１との接着面と向かい合う面）に、窓２１に収納されている収納物品が脱離しないようにコンテナ蓋部材を接着させたものである。以下、特記しない限り、本実施形態におけるコンテナ付き冊子は、第１の実施形態のものと同様であるとして説明を進める。
【００６８】
図１２は、本発明の第３の実施形態におけるコンテナ２の展開平面図である。以下、図１２を用いて、本実施形態におけるコンテナ２について説明する。
【００６９】
長方形の底面部１０１の長辺側の一端には折り目１１１を介して側面１１２が連設され、側面１１２には折り目１１３を介して上面１１４が連設され、上面１１４の中央部には折り目１１５を介して支持片１１６が連設され、支持片１１６には折り目１１７を介して支持片１１８が連設されている。上面１１４の両端部には折り目１１９を介して差し込み片１２０が、折り目１２１を介して差し込み片１２２が、それぞれ連設されている。
【００７０】
同様に、底面部１０１の長辺側の他端には折り目１３１を介して側面１３２が連設され、側面１３２には折り目１３３を介して上面１３４が連設され、上面１３４の中央部には折り目１３５を介して支持片１３６が連設され、支持片１３６には折り目１３７を介して支持片１３８が連設されている。上面１３４の両端部には折り目１３９を介して差し込み片１４０が、折り目１４１を介して差し込み片１４２が、それぞれ連設されている。
【００７１】
さらに、底面部１０１の短辺側の一端には折り目１５１を介して側面１５２が連設され、側面１５２には折り目１５３を介して上面１５４が連設され、上面１５４には折り目１５５を介して側面１５６が連設され、側面１５６には折り目１５７を介して貼着片１５８が連設されている。上面１５４には中央部に差し込み溝１５９が設けられている。
【００７２】
同様に、底面部１０１の短辺側の他端には折り目１６１を介して側面１６２が連設され、側面１６２には折り目１６３を介して上面１６４が連設され、上面１６４には折り目１６５を介して側面１６６が連設され、側面１６６には折り目１６７を介して貼着片１６８が連設されている。上面１６４には中央部に差し込み溝１６９が設けられている。
【００７３】
また、底面部１０１の中央部分には、小窓１７１が形成されている。
【００７４】
次にコンテナ２の組み立てについて説明する。
まず、折り目１５１、１５３、１５５を内側に折り曲げるとともに、折り目１５７を外側に折り曲げ、貼着片１５８を底面部１０１に糊などの接着剤で貼着する。同様に、折り目１６１、１６３、１６５を内側に折り曲げるとともに、折り目１６７を外側に折り曲げ、貼着片１６８を底面部１０１に糊などの接着剤で貼着する。これにより上面１５４および１６４が底面部１０１から所定の高さに固定される。
【００７５】
次に、折り目１１１、１１３、１１５、１１７、１１９、１２１を内側に折り曲げ支持片１１８を底面部１０１上に接触させ、差し込み片１２０を差し込み溝１５９に挿入し、差し込み片１２２を差し込み溝１６９に挿入する。同様に、折り目１３１、１３３、１３５、１３７、１３９、１４１を内側に折り曲げ支持片１３８を底面部１０１上に接触させ、差し込み片１４０を差し込み溝１５９に挿入し、差し込み片１４２を差し込み溝１６９に挿入する。
【００７６】
このように組み立てることにより図１３に示すようなコンテナ２が出来上がる。コンテナ２の表面には収納物品などを入れるための窓２１が形成される。コンテナ２が組み立てられた後、窓２１からフィギュアなどの収納物品が入れられる。底面部１０１には入れられた収納物品などを見るための小窓を設けてもよい。
【００７７】
図１４は、本発明の第３の実施形態におけるコンテナ蓋部材５を示す図である。コンテナ蓋部材５は、例えば、印刷済みのシート状紙素材（化粧紙）により形成されるとしてもよい。コンテナ蓋部材５上には、ミシン目５１が１周するように設けられている。また、ミシン目５１により囲まれている部分内には、穴部５２が設けられている。コンテナ蓋部材５の大きさは、コンテナ２の窓２１を覆う大きさがあれば充分であり、図１５の場合、コンテナ２と略同形としている。コンテナ２を包みこむように断面コ字状としてもよい。
【００７８】
窓２１に収納物品を収納させた後に、コンテナ２の表面に接着剤塗布領域２５に接着剤を塗布する。次に、ミシン目５１が窓２１に対応する位置の周囲に配置されるように、コンテナ２の表面上にコンテナ蓋部材５を載置して、コンテナ２とコンテナ蓋部材とを接着させる。なお、接着剤を塗布する位置は、コンテナ２の大きさにより適宜決定され、図により限定されないものとする。
【００７９】
図１５は、本発明の第３の実施形態におけるコンテナ蓋部材５が接着されたコンテナ２を示す図である。穴部５２に指を挿入し、ミシン目５１により囲まれている部分の裏側に指をかけて引くと、ミシン目５１に沿ってコンテナ蓋部材５が切断され、窓２１および収納物品が現出し、窓２１に格納されている収納物品を取り出すことが可能となる。なお、コンテナ蓋部材５表面において、ミシン目５１により囲まれている部分が占める割合および形状は、図により限定されないものとする。
【００８０】
以上説明したように、本実施形態によれば、コンテナ２の窓２１が設けられている面上にコンテナ蓋部材５が接着されている。従って、収納されている収納物品がコンテナ２から脱離することを抑制することが可能となる。また、コンテナ蓋部材５に設けられているミシン目５１を切断すると、収納物品が現出し、容易に収納物品を取り出すことが可能となる。
【００８１】
なお、上記の実施形態は本発明の好適な実施の一例であり、本発明の実施形態は、これに限定されるものではなく、本発明の要旨を逸脱しない範囲において種々変形して実施することが可能となる。
【００８２】
【発明の効果】
以上説明したように、本発明によれば、冊子の一方の表紙上に、冊子の内容に関連する収納物品を収納するための窓が設けられたコンテナが接着固定され、コンテナ付き冊子を形成している。従って、冊子に関連するあらゆる形状の物品を、冊子に容易に付属させるため、コンテナの側面を利用して種々の告知が可能となり、縦列や段積みに対応でき、消費者のニーズに応えた多様な出版物を提供することが可能となり、また、すべて紙製であるため、焼却処分やリサイクルが可能となる。
【００８３】
また、本発明によれば、切断することにより、表紙と中身（冊子の表紙以外の部分）とのサイズがほぼ等しい冊子が作成されるミシン目が、冊子の一方の表紙上に設けられている。従って、通常の冊子と同様の形状を有し、快適な閲覧が可能な冊子を提供することが可能となる。
【００８４】
また、本発明によれば、コンテナに小窓を設ける。従って、コンテナに収納された物品の内容を容易に確認することが可能となる。
【００８５】
また、本発明によれば、コンテナ組み立て完成時において、物品は、コンテナ内に完全に収納されるので、物品がコンテナから脱離することを抑制することが可能となる。
【００８６】
また、本発明によれば、円弧状の切り込みに指などをかけて手前に引くことにより、コンテナの表面に設けられているミシン目が切断され、物品が現出する。従って、コンテナ内に収納されている物品を容易に取り出すことが可能となる。
【００８７】
また、本発明によれば、コンテナの窓が設けられている面上にコンテナ蓋部材が接着されている。従って、収納されている物品がコンテナから脱離することを抑制することが可能となる。また、コンテナ蓋部材に設けられているミシン目を切断すると、収納物品が現出し、容易に収納物品を取り出すことが可能となる。
【図面の簡単な説明】
【図１】本発明の第１の実施形態におけるコンテナ付き冊子を示す図である。
【図２】本発明の第１の実施形態における表紙を開いたコンテナ付き冊子を示す図である。
【図３】本発明の第１の実施形態におけるコンテナの展開平面図である。
【図４】本発明の第１の実施形態におけるコンテナの組み立て完成図である。
【図５】本発明の第１の実施形態における冊子部の表紙部分の展開平面図である。
【図６】（ａ）は、本発明の第１の実施形態における冊子部を製本する工程を示す図であり、（ｂ）は、本発明の第１の実施形態における冊子部とコンテナとを接着する工程を示す図であり、（ｃ）は、本発明の第１の実施形態におけるコンテナに容器を収納させる工程を示す図であり、（ｄ）は、本発明の第１の実施形態におけるコンテナ付き冊子の完成図である。
【図７】（ａ）は、本発明の第１の実施形態における収納前の容器およびコンテナを示す図であり、（ｂ）は、本発明の第１の実施形態における容器をコンテナに収納させている状態を示す図であり、（ｃ）は、本発明の第１の実施形態における容器をコンテナに収納させた後の状態を示す図である。
【図８】（ａ）は、本発明の第１の実施形態におけるミシン目切断前のコンテナ付き冊子を示す図であり、（ｂ）は、本発明の第１の実施形態におけるミシン目切断後のコンテナ付き冊子を示す図である。
【図９】本発明の第２の実施形態におけるコンテナの展開図である。
【図１０】本発明の第２の実施形態におけるコンテナの組み立て完成図である。
【図１１】（ａ）は、本発明の第２の実施形態におけるコンテナの表面を示す図であり、（ｂ）は、本発明の第２の実施形態におけるミシン目が一部切断されたコンテナの表面を示す図であり、（ｃ）は、本発明の第２の実施形態におけるミシン目が完全に切断されたコンテナの表面を示す図である。
【図１２】本発明の第３の実施形態におけるコンテナの展開図である。
【図１３】本発明の第３の実施形態におけるコンテナの組み立て完成図である。
【図１４】本発明の第３の実施形態におけるコンテナ蓋部材を示す図である。
【図１５】本発明の第３の実施形態におけるコンテナ蓋部材が接着されたコンテナを示す図である。
【符号の説明】
１　冊子部
２　コンテナ
３　容器
４　冊子
５　コンテナ蓋部材
１１　表表紙部
１２　裏表紙部
１３　冊子背表紙部
１４　背表紙部
１５　台紙部
２１　窓
２２ａ、２２ｂ　突起
２３　一点鎖線
２４、１７４、１７５、１８５、１８６　切り込み
２５、２０６　接着剤塗布領域
５１、１８１、１８２、１８３、１８４、２０４　ミシン目
５２　穴部
１０１　底面部
１１１、１１３、１１５、１１７、１１９、１２１、１３１、１３３、１３５、１３７、１３９、１４１、１５１、１５３、１５５、１５７、１６１、１６３、１６５、１６７、、１７２、１７３、２０１、２０２、２０３　折り目
１１２、１３２、１５２、１５６、１６２、１６６　側面
１１４、１３４、１５４、１６４　上面
１１６、１１８、１３６、１３８　支持片
１２０、１２２、１４０、１４２　差し込み片
１５８、１６８　貼着片
１５９、１６９　差し込み溝
１７１、２０５　小窓
Ｗ１　容器の幅
Ｗ２　突起間の距離
Ｗ３　窓の幅
【図１】
2004034566.tif 000003
【図２】
2004034566.tif 000004
【図３】
2004034566.tif 000005
【図４】
2004034566.tif 000006
【図５】
2004034566.tif 000007
【図６】
2004034566.tif 000008
【図７】
2004034566.tif 000009
【図８】
2004034566.tif 000010
【図９】
2004034566.tif 000011
【図１０】
2004034566.tif 000012
【図１１】
2004034566.tif 000013
【図１２】
2004034566.tif 000014
【図１３】
2004034566.tif 000015
【図１４】
2004034566.tif 000016
【図１５】
2004034566.tif 000017